(57)【要約】【課題】よりグレードの高い外部サービスを利用するメリットをユーザに効果的に伝える「ナビゲーション装置及びナビゲーションサーバ」を提供する。【解決手段】有料チャネルに加入していないときに、無料チャネルで受信した交通情報と有料チャネルで受信した交通情報との差分が所定レベル以上であれば、試供画面（ｃ）を短期間表示する。試供画面は、左の子画面に無料チャネルで受信した交通情報が表す渋滞区間を現在位置と共に地図画像上に描画した案内画像６００を表示させ、右の子画面に、有料チャネルで受信した交通情報が表す渋滞区間を現在位置と共に地図画像上に描画した案内画像６２０を表示させたものとする。また、この比較画面の右の子画面には、たとえば、「XXチャネル（有料チャネル名）に加入すると、こちらの地図がご利用頂けます。」といった有料チャネル加入を勧奨するメッセージ６２１も表示する。【選択図】図６
2010261802.tif 000002
【特許請求の範囲】
【請求項１】
ユーザに外部のサービスを利用して得られる情報に基づいたナビゲーション情報を提供するナビゲーション装置であって、
ユーザが外部の高グレードのサービスに加入していない場合に、ユーザに外部の低グレードのサービスを利用して得られる情報に基づいたナビゲーション情報を提供し、ユーザが外部の高グレードのサービスに加入している場合に、ユーザに外部の高グレードのサービスを利用して得られる情報に基づいたナビゲーション情報を提供するナビゲーション情報提供部と、
ユーザが外部の高グレードのサービスに加入していない場合に、外部の低グレードのサービスを利用して得られる情報と外部の高グレードのサービスを利用して得られる情報との差分が所定レベル以上である場合に、外部の低グレードのサービスを利用して得られる情報に基づいたナビゲーション情報と、外部の高グレードのサービスを利用して得られる情報に基づいたナビゲーション情報との比較を表す比較情報を提供する比較情報提供部とを有することを特徴とするナビゲーション装置。
【請求項２】
請求項１記載のナビゲーション装置であって、
前記比較情報提供部は、前記外部の低グレードのサービスを利用して得られる情報に基づいたナビゲーション情報と共に、高グレードのサービスに加入した場合に利用できる情報として、前記外部の高グレードのサービスを利用して得られる情報に基づいたナビゲーション情報を表した比較画面を表示することにより、前記比較情報を提供することを特徴とするナビゲーション装置。
【請求項３】
請求項１記載のナビゲーション装置であって、
前記外部の低グレードのサービスを利用して得られる情報は主要道の渋滞区間を表す交通情報であり、前記外部の高グレードのサービスを利用して得られる情報は主要道の渋滞区間と主要道以外の他の道路の渋滞区間とを表す交通情報であり、
前記ナビゲーション情報提供部は、ユーザが前記外部の高グレードのサービスに加入していない場合に、前記外部の低グレードのサービスを利用して得られる交通情報が表す渋滞区間を地図上に表した第１の案内画像を表示し、ユーザが前記外部の高グレードのサービスに加入している場合に、前記外部の高グレードのサービスを利用して得られる交通情報が表す渋滞区間を地図上に表した第２の案内画像を表示し、
前記比較情報提供部は、ユーザが前記外部の高グレードのサービスに加入していない場合に、前記外部の低グレードのサービスを利用して得られる交通情報が表す渋滞区間の数と、前記外部の高グレードのサービスを利用して得られる交通情報が表す渋滞区間の数とが所定レベル以上異なっている場合に、前記外部の低グレードのサービスを利用して得られる交通情報が表す渋滞区間と、前記外部の高グレードのサービスを利用して得られる交通情報が表す渋滞区間との比較を表す比較情報を提供することを特徴とするナビゲーション装置。
【請求項４】
請求項３記載のナビゲーション装置であって、
前記比較情報提供部は、前記第１の案内画像と共に、高グレードのサービスに加入した場合に利用できる情報として、前記第２の案内画像を表した比較画像を表示することにより、前記比較情報を提供することを特徴とするナビゲーション装置。
【請求項５】
請求項３記載のナビゲーション装置であって、
前記外部の低グレードのサービスは、主要道の渋滞区間を表す交通情報を放送する無料放送であり、前記外部の高グレードのサービスは、主要道の渋滞区間と主要道以外の他の道路の渋滞区間とを表す交通情報を放送する有料放送であることを特徴とするナビゲーション装置。
【請求項６】
請求項４記載のナビゲーション装置であって、
前記外部の低グレードのサービスは、主要道の渋滞区間を表す交通情報を放送する無料放送であり、前記外部の高グレードのサービスは、主要道の渋滞区間と主要道以外の他の道路の渋滞区間とを表す交通情報を放送する有料放送であることを特徴とするナビゲーション装置。
【請求項７】
請求項１記載のナビゲーション装置であって、
前記外部の低グレードのサービスを利用して得られる情報は主要道の渋滞区間を表す交通情報であり、前記外部の高グレードのサービスを利用して得られる情報は主要道の渋滞区間と主要道以外の他の道路の渋滞区間とを表す交通情報であり、
前記ナビゲーション情報提供部は、ユーザが前記外部の高グレードのサービスに加入していない場合に、前記外部の低グレードのサービスを利用して得られる交通情報が表す渋滞区間を考慮して算出した目的までの経路である第１の経路を地図上に表した第１の案内画像を表示し、ユーザが前記外部の高グレードのサービスに加入している場合に、前記外部の高グレードのサービスを利用して得られる交通情報が表す渋滞区間を考慮して算出した目的までの経路である第２の経路を地図上に表した第２の案内画像を表示し、
前記比較情報提供部は、ユーザが前記外部の高グレードのサービスに加入していないときに、前記第１の経路と前記第２の経路とに差がある場合に、前記第１の経路と前記第２の経路との比較を表す比較情報を提供することを特徴とするナビゲーション装置。
【請求項８】
請求項７記載のナビゲーション装置であって、
前記比較情報提供部は、前記第１の案内画像と共に、高グレードのサービスに加入した場合に利用できる情報として、前記第２の案内画像を表した比較画像を表示することにより、前記比較情報を提供することを特徴とするナビゲーション装置。
【請求項９】
請求項８記載のナビゲーション装置であって、
前記比較情報提供部は、前記第２の経路の前記第１の経路と異なる部分を強調して表した形態で前記第２の案内画像を表示することを特徴とするナビゲーション装置。
【請求項１０】
請求項７記載のナビゲーション装置であって、
前記外部の低グレードのサービスは、主要道の渋滞区間を表す交通情報を放送する無料放送であり、前記外部の高グレードのサービスは、主要道の渋滞区間と主要道以外の他の道路の渋滞区間とを表す交通情報を放送する有料放送であることを特徴とするナビゲーション装置。
【請求項１１】
請求項８記載のナビゲーション装置であって、
前記外部の低グレードのサービスは、主要道の渋滞区間を表す交通情報を放送する無料放送であり、前記外部の高グレードのサービスは、主要道の渋滞区間と主要道以外の他の道路の渋滞区間とを表す交通情報を放送する有料放送であることを特徴とするナビゲーション装置。
【請求項１２】
ナビゲーション装置に情報を提供するナビゲーションサーバであって、
高グレードのサービスに加入していないナビゲーション装置に、当該ナビゲーション装置から情報を要求された事項についての簡易な情報を提供し、高グレードのサービスに加入しているナビゲーション装置に、当該ナビゲーション装置から情報を要求された事項についての詳細な情報を提供する情報提供部と、
高グレードのサービスに加入していないナビゲーション装置に提供する前記簡易な情報と、当該簡易な情報と同じ事項についての前記詳細な情報との差分が所定レベル以上である場合に、当該簡易な情報と当該詳細な情報とを比較するための比較情報を当該ナビゲーション装置に提供する比較情報提供部とを有することを特徴とするナビゲーションサーバ。
【請求項１３】
請求項１２記載のナビゲーションサーバであって、
前記比較情報提供部は、前記比較情報として、前記簡易な情報と前記詳細な情報とを提供することを特徴とするナビゲーションサーバ。
【請求項１４】
請求項１２記載のナビゲーションサーバであって、
前記情報提供部は、高グレードのサービスに加入していないナビゲーション装置に、前記簡易な情報として、第１の地図に基づいて算出された当該ナビゲーション装置から指定された目的地までの経路を表す第１経路情報を提供し、高グレードのサービスに加入しているナビゲーション装置に、前記詳細な情報として、前記第１の地図よりも詳細な地図である第２の地図に基づいて算出された当該ナビゲーション装置から指定された目的地までの経路を表す第２経路情報を提供し、
前記比較情報提供部は、前記第１経路情報が表す経路と前記第２経路情報が表す経路に差がある場合に、前記第１経路情報が表す経路と前記第２経路情報が表す経路との比較を表す前記比較情報を提供することを特徴とするナビゲーションサーバ。
【請求項１５】
請求項１４記載のナビゲーションサーバであって、
前記比較情報提供部は、前記第１経路情報が表す経路と前記第２経路情報とを含む情報を前記比較情報として提供することを特徴とするナビゲーションサーバ。
【請求項１６】
請求項１２記載のナビゲーションサーバであって、
前記情報提供部は、高グレードのサービスに加入していないナビゲーション装置に、前記簡易な情報として、複数の地点の情報が登録された第１の地点データベースから探索した、当該ナビゲーション装置から指定された検索条件にマッチする地点の数を表す第１地点数を提供し、高グレードのサービスに加入しているナビゲーション装置に、前記詳細な情報として、前記第１の地点データベースよりも多くの地点の情報が登録された第２の地点データベースから探索した、当該ナビゲーション装置から指定された検索条件にマッチする地点の数を表す第２地点数を提供し、
前記比較情報提供部は、前記第１地点数と前記第２地点数とが所定レベル以上異なっている場合に、前記第１経路情報が表す経路と前記第２経路情報が表す経路との比較を表す前記比較情報を提供することを特徴とするナビゲーションサーバ。
【請求項１７】
請求項１６記載のナビゲーションサーバであって、
前記比較情報提供部は、前記第１地点数と前記第２地点数とを含む情報を前記比較情報として提供することを特徴とするナビゲーションサーバ。
【請求項１８】
請求項１３記載のナビゲーションサーバのサービスを利用するナビゲーション装置であって、
前記ナビゲーションサーバから前記比較情報を提供されたときに、前記簡易な情報と共に、高グレードのサービスに加入した場合に利用できる情報として、前記詳細な情報を表示する比較情報表示部を有することを特徴とするナビゲーション装置。
【請求項１９】
請求項１５記載のナビゲーションサーバのサービスを利用するナビゲーション装置であって、
前記ナビゲーションサーバから前記比較情報を提供されたときに、前記第１経路情報が表す経路を地図上に表した第１経路画像と共に、高グレードのサービスに加入した場合に利用できる情報として、前記第２経路情報が表す経路を地図上に表した第２経路画像を表示する比較情報表示部を有することを特徴とするナビゲーション装置。
【請求項２０】
請求項１７記載のナビゲーションサーバのサービスを利用するナビゲーション装置であって、
前記ナビゲーションサーバから前記比較情報を提供されたときに、前記第１地点数と共に、高グレードのサービスに加入した場合に利用できる情報として、前記第２地点数を表示する比較情報表示部を有することを特徴とするナビゲーション装置。
【請求項２１】
主要道の渋滞区間を表す交通情報を放送する無料の交通情報放送と、主要道の渋滞区間と主要道以外の他の道路の渋滞区間とを表す交通情報を放送する有料の交通情報放送を受信するナビゲーション装置であって、
ユーザが前記有料の交通情報放送に加入していない場合に、前記無料の交通情報放送で受信した交通情報が表す渋滞区間を地図上に表した第１の案内画像を表示し、ユーザが前記有料の交通情報放送に加入している場合に、当該有料の交通情報放送で受信した交通情報が表す渋滞区間を地図上に表した第２の案内画像を表示するナビゲーション情報提供部と、
ユーザが前記有料の交通情報放送に加入していない場合において、前記有料の交通情報放送の初回の受信の際に、前記第１の案内画像と共に、前記有料の交通情報放送に加入した場合に利用できる情報として、前記第２の案内画像を表示する比較情報提供部とを有することを特徴とするナビゲーション装置。
【発明の詳細な説明】
【技術分野】
【０００１】
本発明は、経路案内を行うナビゲーション装置に関するものである。
【背景技術】
【０００２】
従来より、外部の交通情報提供サービスを利用して取得した交通情報を利用しながら、周辺の交通状況の案内や経路設定を行うナビゲーション装置（たとえば、特許文献１）や、外部のナビゲーションサービスを利用して地図データや経路を取得して、現在位置や経路を地図上で案内するナビゲーション装置（たとえば、特許文献２）が知られている（たとえば、特許文献２）。
【先行技術文献】
【特許文献】
【０００３】
【特許文献１】特開-345409号公報
【特許文献２】特開-16497号公報
【発明の概要】
【発明が解決しようとする課題】
【０００４】
さて、以上のようなナビゲーション装置が利用する当該外部のサービスに、料金毎のグレードが設定されている場合がある。このような場合、通常、より高いグレードのサービスは、より利用料金が高く、よりサービスの内容の充実したサービスとなっている。
そして、このような場合に、高グレードのサービスを利用することができない、低グレードのサービスを利用しているナビゲーションのユーザに対して、高グレードのサービスを利用したメリットを伝えることが難しいという問題がある。
そこで、本発明は、よりグレードの高いサービスを利用するメリットを、当該サービスをナビゲーション装置を介して利用するユーザに効果的に伝えることを課題とする。
【課題を解決するための手段】
【０００５】
前記課題達成のために、本発明は、ユーザに外部のサービスを利用して得られる情報に基づいたナビゲーション情報を提供するナビゲーション装置に、ユーザが外部の高グレードのサービスに加入していない場合に、ユーザに外部の低グレードのサービスを利用して得られる情報に基づいたナビゲーション情報を提供し、ユーザが外部の高グレードのサービスに加入している場合に、ユーザに外部の高グレードのサービスを利用して得られる情報に基づいたナビゲーション情報を提供するナビゲーション情報提供部と、ユーザが外部の高グレードのサービスに加入していない場合に、外部の低グレードのサービスを利用して得られる情報と外部の高グレードのサービスを利用して得られる情報との差分が所定レベル以上である場合に、外部の低グレードのサービスを利用して得られる情報に基づいたナビゲーション情報と、外部の高グレードのサービスを利用して得られる情報に基づいたナビゲーション情報との比較を表す比較情報を提供する比較情報提供部とを備えたものである。ここで、前記比較情報提供部は、外部の低グレードのサービスを利用して得られる情報に基づいたナビゲーション情報と共に、高グレードのサービスに加入した場合に利用できる情報として、外部の高グレードのサービスを利用して得られる情報に基づいたナビゲーション情報を表した比較画面を表示することにより、前記比較情報を提供するものとしてもよい。
【０００６】
また、このようなナビゲーション装置において、前記外部の低グレードのサービスを利用して得られる情報を主要道の渋滞区間を表す交通情報とし、前記外部の高グレードのサービスを利用して得られる情報は主要道の渋滞区間と主要道以外の他の道路の渋滞区間とを表す交通情報とし、前記ナビゲーション情報提供部を、ユーザが外部の高グレードのサービスに加入していない場合に、外部の低グレードのサービスを利用して得られる交通情報が表す渋滞区間を地図上に表した第１の案内画像を表示し、ユーザが外部の高グレードのサービスに加入している場合に、外部の高グレードのサービスを利用して得られる交通情報が表す渋滞区間を地図上に表した第２の案内画像を表示するものとし、前記比較情報提供部を、ユーザが外部の高グレードのサービスに加入していない場合に、外部の低グレードのサービスを利用して得られる交通情報が表す渋滞区間の数と、外部の高グレードのサービスを利用して得られる交通情報が表す渋滞区間の数とが所定レベル以上異なっている場合に、外部の低グレードのサービスを利用して得られる交通情報が表す渋滞区間と、外部の高グレードのサービスを利用して得られる交通情報が表す渋滞区間との比較を表す比較情報を提供するものとしてもよい。また、この場合には、前記比較情報提供部を、前記第１の案内画像と共に、高グレードのサービスに加入した場合に利用できる情報として、前記第２の案内画像を表した比較画像を表示することにより、前記比較情報を提供するものとしてもよい。
【０００７】
または、このようなナビゲーション装置において、前記外部の低グレードのサービスを利用して得られる情報を主要道の渋滞区間を表す交通情報とし、前記外部の高グレードのサービスを利用して得られる情報を主要道の渋滞区間と主要道以外の他の道路の渋滞区間とを表す交通情報とし、前記ナビゲーション情報提供部を、ユーザが外部の高グレードのサービスに加入していない場合に、外部の低グレードのサービスを利用して得られる交通情報が表す渋滞区間を考慮して算出した目的までの経路である第１の経路を地図上に表した第１の案内画像を表示し、ユーザが外部の高グレードのサービスに加入している場合に、外部の高グレードのサービスを利用して得られる交通情報が表す渋滞区間を考慮して算出した目的までの経路である第２の経路を地図上に表した第２の案内画像を表示するものとし、前記比較情報提供部を、ユーザが外部の高グレードのサービスに加入していないときに、前記第１の経路と第２の経路とに差がある場合に、前記第１の経路と前記第２の経路との比較を表す比較情報を提供するものとしてもよい。また、この場合には、前記比較情報提供部を、前記第１の案内画像と共に、高グレードのサービスに加入した場合に利用できる情報として、前記第２の案内画像を表した比較画像を表示することにより、前記比較情報を提供するものとしてもよい。また、このときには、前記比較情報提供部は、前記第２の経路の前記第１の経路と異なる部分を強調して表した形態で前記第２の案内画像を表示するようにしてもよい。
【０００８】
ここで、以上の各ナビゲーション装置において、前記外部の低グレードのサービスは、主要道の渋滞区間を表す交通情報を放送する無料放送であってよく、前記外部の高グレードのサービスは、主要道の渋滞区間と主要道以外の他の道路の渋滞区間とを表す交通情報を放送する有料放送であってよい。
【０００９】
また、前記課題達成のために、本発明は、ナビゲーション装置に情報を提供するナビゲーションサーバに、高グレードのサービスに加入していないナビゲーション装置に、当該ナビゲーション装置から情報を要求された事項についての簡易な情報を提供し、外部の高グレードのサービスに加入しているナビゲーション装置に、当該ナビゲーション装置から情報を要求された事項についての詳細な情報を提供する情報提供部と、高グレードのサービスに加入していないナビゲーション装置に提供する前記簡易な情報と、当該簡易な情報と同じ事項についての前記詳細な情報との差分が所定レベル以上である場合に、当該簡易な情報と詳細な情報とを比較するための比較情報を当該ナビゲーション装置に提供する比較情報提供部とを備えたものである。ここで、このようなナビゲーションサーバは、前記比較情報提供部において、前記比較情報として、前記簡易な情報と詳細な情報とを提供するようにしてもよい。また、このようなナビゲーションサーバのサービスを利用するナビゲーション装置には、前記ナビゲーションサーバから前記比較情報を提供されたときに、前記簡易な情報と共に、高グレードのサービスに加入した場合に利用できる情報として、前記詳細な情報を表示する比較情報表示部を備えることが好ましい。
【００１０】
また、このようなナビゲーションサーバは、前記情報提供部を、高グレードのサービスに加入していないナビゲーション装置に、前記簡易な情報として、第１の地図に基づいて算出された当該ナビゲーション装置から指定された目的地までの経路を表す第１経路情報を提供し、高グレードのサービスに加入しているナビゲーション装置に、前記詳細な情報として、前記第１の地図よりも詳細な地図である第２の地図に基づいて算出された当該ナビゲーション装置から指定された目的地までの経路を表す第２経路情報を提供するものとし、前記比較情報提供部を、前記第１経路情報が表す経路と前記第２経路情報が表す経路に差がある場合に、前記第１経路情報が表す経路と前記第２経路情報が表す経路との比較を表す前記比較情報を提供するものとしてもよい。また、この場合、前記比較情報提供部において、前記第１経路情報が表す経路と前記第２経路情報とを含む情報を前記比較情報として提供するものとしてもよい。また、このようなナビゲーションサーバのサービスを利用するナビゲーション装置には、前記ナビゲーションサーバから前記比較情報を提供されたときに、前記第１経路情報が表す経路を地図上に表した第１経路画像と共に、高グレードのサービスに加入した場合に利用できる情報として、前記第２経路情報が表す経路を地図上に表した第２経路画像を表示する比較情報表示部を設けることが好ましい。
【００１１】
または、以上のようなナビゲーションサーバは、前記情報提供部を、高グレードのサービスに加入していないナビゲーション装置に、前記簡易な情報として、複数の地点の情報が登録された第１の地点データベースから探索した、当該ナビゲーション装置から指定された検索条件にマッチする地点の数を表す第１地点数を提供し、高グレードのサービスに加入しているナビゲーション装置に、前記詳細な情報として、前記第１の地点データベースよりも多くの地点の情報が登録された第２の地点データベースから探索した、当該ナビゲーション装置から指定された検索条件にマッチする地点の数を表す第２地点数を提供するものとし、前記比較情報提供部を、前記第１地点数と前記第２地点数とが所定レベル以上異なっている場合に、前記第１経路情報が表す経路と前記第２経路情報が表す経路との比較を表す前記比較情報を提供するものとしてもよい。また、この場合に、前記比較情報提供部において、前記第１地点数と前記第２地点数とを含む情報を前記比較情報として提供するようにしてもよい。また、このようなナビゲーションサーバのサービスを利用するナビゲーション装置には、前記ナビゲーションサーバから前記比較情報を提供されたときに、前記第１地点数と共に、高グレードのサービスに加入した場合に利用できる情報として、前記第２地点数を表示する比較情報表示部を設けることが好ましい。
【００１２】
以上のようなナビゲーション装置やナビゲーションサーバによれば、高グレードのサービスに加入していないナビゲーション装置のユーザに、低グレードのサービスを利用して得られる情報と外部の高グレードのサービスを利用して得られる情報とに所定の差がある場合に、低グレードのサービスを利用した場合と、高グレードのサービスを利用した場合の比較を表す比較情報をユーザに提示することができるので、よりグレードの高い外部サービスを利用するメリットを効果的に伝えることができる。
【００１３】
また、併せて本発明は、主要道の渋滞区間を表す交通情報を放送する無料の交通情報放送と、主要道の渋滞区間と主要道以外の他の道路の渋滞区間とを表す交通情報を放送する有料の交通情報放送を受信するナビゲーション装置であって、ユーザが有料の交通情報放送に加入していない場合に、無料の交通情報放送で受信した交通情報が表す渋滞区間を地図上に表した第１の案内画像を表示し、ユーザが有料の交通情報放送に加入している場合に、有料の交通情報放送で受信した交通情報が表す渋滞区間を地図上に表した第２の案内画像を表示するナビゲーション情報提供部と、ユーザが有料の交通情報放送に加入していない場合において、有料の交通情報放送の初回の受信の際に、前記第１の案内画像と共に、有料の交通情報放送に加入した場合に利用できる情報として、前記第２の案内画像を表示する比較情報提供部とを備えたナビゲーション装置を提供する。
【００１４】
このようなナビゲーション装置によれば、新たに有料の交通情報放送の利用が可能となったときに、その旨と、当該有料交通情報放送を利用したメリットをユーザ伝えることができるようになる。
【発明の効果】
【００１５】
以上のように、本発明によれば、よりグレードの高いサービスを利用するメリットを、当該サービスをナビゲーション装置を介して利用するユーザに効果的に伝えることができる。
【図面の簡単な説明】
【００１６】
【図１】本発明の第１実施形態に係るナビゲーションシステムの構成を示すブロック図である。
【図２】本発明の第１実施形態に係るサービスデータ提供処理を示すフローチャートである。
【図３】本発明の第１実施形態に係るナビゲーション装置の表示例を示す図である。
【図４】本発明の第１実施形態に係るナビゲーション装置の表示例を示す図である。
【図５】本発明の第２実施形態に係るナビゲーションシステムの構成を示すブロック図である。
【図６】本発明の第２実施形態に係るナビゲーションシステムの表示例を示す図である。
【図７】本発明の第２実施形態に係る有料チャネル情報試供処理を示すフローチャートである。
【図８】本発明の第２実施形態に係るルート探索処理を示すフローチャートである。
【図９】本発明の第２実施形態に係るナビゲーションシステムの表示例を示す図である。
【発明を実施するための形態】
【００１７】
以下、本発明の実施形態について説明する。
まず、第１の実施形態について説明する。
図１に、本実施形態に係るナビゲーションシステムの構成を示す。
図示するように、ナビゲーションシステムは、各自動車に搭載されるナビゲーション装置１と、ナビゲーション装置１が移動体通信網２と移動体通信網２に接続したインターネット等のＷＡＮ３とを介してアクセス可能なナビゲーションサービスサーバ４とを含んで構成される。
また、ナビゲーション装置１は、入力装置１１、表示装置１２、ＧＰＳ受信機１３、ナビゲーションクライアント１４、移動体通信網２に接続するための移動体通信網インタフェース１５とを備えている。
また、ナビゲーションサービスサーバ４は、サービスデータ提供部４１、ユーザ管理テーブル４２、ノーマルサービスデータ生成部４３、プレミアムサービスデータ生成部４４、地図データベース４５、地点データベース４６とを備えている。そして、ユーザ管理テーブル４２には、ナビゲーションサービスサーバ４を利用する各ユーザのユーザＩＤと、プレミアム会員（Ｐ）/ノーマル会員（Ｎ）の会員種別が登録されている。
【００１８】
このような構成において、ナビゲーションサーバ４のサービスデータ提供部４１は、ナビゲーション装置１のナビゲーションクライアント１４からのサービス要求を受け取ると、当該サービス要求に従ったサービスデータの生成をノーマルサービスデータ生成部４３と、プレミアムサービスデータ生成部４４に指示する。
【００１９】
ここで、ナビゲーションクライアント１４からのサービス要求としては、たとえば、ナビゲーション装置１のＧＰＳ受信機１３で算定されたナビゲーション装置１の現在位置の周辺などを指定範囲とする地図データの送付要求や、ユーザから入力装置１１を介して設定された目的地と現在位置とを指定した、当該現在位置から目的地までの経路を表すルートデータの送付要求や、ユーザから入力装置１１を介して入力された検索キー（たとえば、地点の名称や地点の種別や地点の位置する地域や、これらの組み合わせなど）にマッチする地点の検索要求などがある。
【００２０】
さて、ノーマルサービスデータ生成部４３は、サービスデータ提供部４１から、サービス要求に従ったサービスデータの生成を指示されたならば、指示されたサービスデータをノーマルサービスデータとして生成し、サービスデータ提供部４１に出力する。また、プレミアムサービスデータ生成部４４は、サービスデータ提供部４１から、サービス要求に従ったサービスデータの生成を指示されたならば、指示されたサービスデータをプレミアムサービスデータとして生成し、サービスデータ提供部４１に出力する。
【００２１】
すなわち、ノーマルサービスデータ生成部４３は、サービス要求が、指定範囲の地図データの送付要求であれば、地図データベース４５に格納されているノーマルサービス用の地図データから、指定範囲の地図データを抽出してノーマルサービスデータとしてサービスデータ提供部４１に出力する。また、プレミアムサービスデータ生成部４４は、サービス要求が、指定範囲の地図データの送付要求であれば、地図データベース４５に格納されているプレミアムサービス用の地図データから、指定範囲の地図データを抽出してプレミアムサービスデータとしてサービスデータ提供部４１に出力する。
【００２２】
ここで、地図データベース４５に格納されているノーマルサービス用の地図データとプレミアムサービス用の地図データの違いは、プレミアムサービス用の地図データの方がノーマルサービス用の地図データよりも詳細な地図を表す地図データである点となっている。すなわち、たとえば、ノーマルサービス用の地図データには細街路のデータは含まれていないが、プレミアムサービス用の地図データには細街路のデータも含まれている。
【００２３】
また、ノーマルサービスデータ生成部４３は、サービス要求が、ルートデータの送付要求であれば、地図データベース４５に格納されているノーマルサービス用の地図データに基づいて、指定された現在位置から目的地までの経路を探索し、探索した経路を表すルートデータをノーマルサービスデータとしてサービスデータ提供部４１に出力する。また、プレミアムサービスデータ生成部４４は、サービス要求が、ルートデータの送付要求であれば、地図データベース４５に格納されているプレミアムサービス用の地図データに基づいて、指定された現在位置から目的地までの経路を探索し、探索した経路を表すルートデータをプレミアムサービスデータとしてサービスデータ提供部４１に出力する。
【００２４】
また、ノーマルサービスデータ生成部４３は、サービス要求が、地点の検索要求であれば、地点データベース４６に格納されているノーマルサービス用の地点データから、検索キーにマッチする地点を探索し、探索した地点の地点数をノーマルサービスデータとしてサービスデータ提供部４１に出力する。また、プレミアムサービスデータ生成部４４は、サービス要求が、サービス要求が、地点の検索要求であれば、地点データベース４６に格納されているプレミアムサービス用の地点データから、検索キーにマッチする地点を探索し、探索した地点の地点数をプレミアムサービスデータとしてサービスデータ提供部４１に出力する。
【００２５】
ここで、地点データベース４６に格納されているノーマルサービス用の地点データとプレミアムサービス用の地点データの違いは、プレミアムサービス用の地点データの方がノーマルサービス用の地図データよりも多くの地点を表す地点データである点となっている。すなわち、たとえば、ノーマルサービス用の地点データには主要地点の名称や位置や種別を表すデータのみが含まれ、プレミアムサービス用の地点データには、主要地点のデータに加え、主要地点以外の各種地点の名称や位置や種別のデータが含まれる。
【００２６】
また、ノーマルサービスデータ生成部４３は、サービス要求が、検索地点の地点データ要求であれば、地点データベース４６に格納されている、サービス要求発行元のナビゲーション装置１からの地点の検索要求に応えて最後に検索した地点の地点データをノーマルサービス用の地点データから抽出しノーマルサービスデータとしてサービスデータ提供部４１に出力する。また、プレミアムサービスデータ生成部４４は、サービス要求が、検索地点の地点データ要求であれば、地点データベース４６に格納されている、サービス要求発行元のナビゲーション装置１からの地点の検索要求に応えて最後に検索した地点の地点データをプレミアムサービス用の地点データから抽出しプレミアムサービスデータとしてサービスデータ提供部４１に出力する。
【００２７】
さて、次に、サービスデータ提供部４１は、このようにしてノーマルサービスデータ生成部４３とプレミアムサービスデータ生成部４４とからノーマルサービスデータとプレミアムサービスデータとを取得したならば、図２に示すサービスデータ提供処理を行って、サービス要求元のナビゲーション装置１にサービスデータを、ＷＡＮ３、移動体通信網２を介して送信する。
【００２８】
図２に示すようにサービスデータ提供処理では、まず、サービス要求の発行元のナビゲーション装置１のユーザがプレミアム会員であるかどうかをユーザ管理テーブル４２を参照して判定し（ステップ２０２）、プレミアム会員であればプレミアムサービスデータをサービスデータとしてナビゲーション装置１に出力して（ステップ２０４）処理を終了する。
【００２９】
一方、当該ユーザがプレミアム会員でなければ、サービス要求の発行元のナビゲーション装置１に、前回、後述するプレミアム勧奨データを提供してから所定期間（たとえば、１週間）経過しているかどうか判定し（ステップ２０６）、経過していなければ、ノーマルサービスデータをサービスデータとしてナビゲーション装置１に送信して（ステップ２１２）処理を終了する。
【００３０】
また、後述するプレミアム勧奨データを提供してから所定期間（たとえば、１週間）経過していれば（ステップ２０６）、プレミアムサービスデータとノーマルサービスデータとの情報内容の差分が所定基準以上であるかどうかを調べる（ステップ２０８）。
ここで、当該所定基準は、プレミアムサービスデータとノーマルサービスデータとが、ルートデータの送付要求であるサービス要求に応答して生成されたルートデータであれば、両ルートデータが表す経路が異なるものである場合に、プレミアムサービスデータとノーマルサービスデータとの情報内容の差分が所定基準以上であるとするものとする。
【００３１】
また、当該所定基準は、プレミアムサービスデータとノーマルサービスデータとが、地点の検索要求であるサービス要求に応答して生成された地点数であれば、プレミアムサービスデータが表す地点数とノーマルサービスデータが表す地点数との比率が所定値（たとえば、プレミアムサービスデータが表す地点数：ノーマルサービスデータが表す地点数=３：２）以下である場合や、プレミアムサービスデータが表す地点数とノーマルサービスデータが表す地点数との差が所定数（たとえば、１０）以上である場合に、プレミアムサービスデータとノーマルサービスデータとの情報内容の差分が所定基準以上であるとするものとする。
【００３２】
そして、プレミアムサービスデータとノーマルサービスデータとの情報内容の差分が所定基準以上であれば（ステップ２０８）、ノーマルサービスデータをサービスデータとして送信すると共に、プレミアムサービスデータをプレミアム勧奨データとしてナビゲーション装置１に送信して（ステップ２１０）処理を終了する。ただし、プレミアムサービスデータがルートデータである場合には、当該ルートデータが表す経路周辺の地図データを、プレミアムサービスデータ生成部４４を介して、地図データベース４５に格納されているプレミアムサービス用の地図データから取得し、取得した地図データもプレミアム勧奨データに含めるようにする。
【００３３】
一方、プレミアムサービスデータとノーマルサービスデータとの情報内容の差分が所定基準以上でなければ（ステップ２０８）、ノーマルサービスデータをサービスデータとしてナビゲーション装置１に送信して（ステップ２１２）処理を終了する。
次にナビゲーション装置１のナビゲーションクライアント１４は、以下の処理を行う。
すなわち、ナビゲーションクライアント１４は、ＧＰＳ受信機１３で算出される現在位置が変化する度に、現在位置周辺の地図データを既に取得しているかどうかを調べ、取得していない場合には、当該取得していない範囲を指定範囲とする地図データの送付要求をサービス要求としてナビゲーションサーバに送信することにより、ナビゲーションサーバから提供されるサービスデータとして当該地図データを取得する。
【００３４】
また、ナビゲーションクライアント１４は、ユーザからの目的地の設定を受けつけ、ナビゲーションサーバに現在位置と目的地とを指定したルートデータの送付要求をサービス要求としてナビゲーションサーバに送信することにより、ナビゲーションサーバから提供されるサービスデータとして、現在位置から目的地までの経路のルートデータを取得する。
【００３５】
また、ナビゲーションクライアント１４は、当該ナビゲーション装置１のユーザがナビゲーションサーバから取得した、現在位置周辺の地図を表す地図画像上に、現在位置を表す現在位置マークと、ルートデータが表す経路の地図画像が表す地図内の部分を表すルート図形とを表す案内画像を生成し表示装置１２に表示する。また、目的地が地図画像が表す地図内に含まれる場合には、地図画像上に目的地を表す目的地マークも表示する。
【００３６】
結果、ナビゲーション装置１のユーザが、ナビゲーションサーバのプレミアム会員となっていないときには、図３ａに示すように、細街路を含まない簡易化された地図を表す地図画像３０１上に現在位置を表す現在位置マーク３０２と目的地までの経路を表すルート図形３０３と目的地を表す目的地マーク３０４を表した案内画像３００が表示装置１２に表示される。
【００３７】
一方、ナビゲーション装置１のユーザが、ナビゲーションサーバのプレミアム会員となっているときには、たとえば、図３ｂに示すように、細街路を含む詳細な地図を表す地図画像３１１上に現在位置を表す現在位置マーク３１２と目的地までの経路を表すルート図形３１３と目的地を表す目的地マーク３１４とを表した案内画像３１０が表示装置１２に表示される。
【００３８】
ここで、本実施形態では、ユーザが、ナビゲーションサーバのプレミアム会員となっているか否かによって、ユーザに対して案内される経路は異なったものとなる。すなわち、たとえば、目的地が細街路に面した位置にある場合に、ナビゲーションサーバのプレミアム会員となっているときには、図３ｂに示すように細街路を用いた経路まで案内されるのに対して、ナビゲーションサーバのプレミアム会員となっていない場合には、細街路手前の位置までしか経路が案内されない。
【００３９】
次に、ナビゲーションクライアント１４は、ナビゲーションサーバから、ルートデータの送付要求の応答としてサービスデータとプレミアム勧奨データを受信したときには、以下の動作を行う。なお、プレミアム勧奨データは、ナビゲーション装置１のユーザがプレミアム会員でない場合にのみ受信されるものであり、ナビゲーション装置１のユーザがプレミアム会員でない場合にナビゲーションサーバから受信するサービスデータは、全てノーマルサービスデータとなる。
【００４０】
すなわち、ルートデータの送付要求の応答としてサービスデータとプレミアム勧奨データを受信したときには、ナビゲーションクライアント１４は、図３ｃに示すように、表示装置１２の表示画面を左右に二つの子画面に分割し、左の子画面にサービスデータとして取得した地図データとルートデータに基づく案内画像３００を表示し、右の子画面には、プレミアム勧奨データとして受信した地図データとルートデータに基づく比較画像３２０を表示する比較表示を行う。
【００４１】
ここで、図示するように、比較画像３２０は、ユーザがプレミアム会員である場合に表示される図３ｂの案内画像３１０相当のものとなっている。また、この比較画像３２０上には、たとえば、「プレミアム会員になると、こちらのルートがご利用頂けます」といったプレミアム会員登録を勧奨するメッセージ３２１も表示する。
【００４２】
なお、比較画像３２０においては、プレミアム勧奨データに含まれるルートデータが表すルート上の、ノーマルサービスデータとして取得したルートデータが表すルートと異なる区間に対応するルート図形３１３の部分を強調表示するようにしてもよい。
さて、ナビゲーションクライアント１４は、図３ｃに示すような比較表示を所定期間（たとえば、５秒）行ったならば、図３ａの通常の案内画像表示に復帰する。
次に、ナビゲーションクライアント１４は、入力装置１１を介してユーザから地点検索を要求されたならば、適当な検索メニューを表示装置１２に表示して、検索キーの指定を受け付け、検索キーを指定した地点の検索要求をナビゲーションサーバに送信することにより、サービスデータとして検索キーにマッチする地点の地点数を取得し、図４ａ、ｂに示すように、取得した地点数４０１、４１１の表示を含めたヒット数提示画面を表示装置１２に表示する。ここで、図４ａは、ナビゲーション装置１のユーザがプレミアム会員でない場合のヒット数提示画面を、図４ｂは、ナビゲーション装置１のユーザがプレミアム会員である場合のヒット数提示画面を示している。図示するように、通常、ナビゲーション装置１のユーザがプレミアム会員である場合の方が、検索キーにマッチする地点として探索される地点の地点数は多くなる。
【００４３】
また、ナビゲーション装置１は、地点の検索要求の応答としてサービスデータとプレミアム勧奨データを受信したときには、図４ｃに示すように、ヒット数提示画面中に、プレミアム勧奨データが表す地点数４２１を、プレミアム会員になるとヒットする件数を表すメッセージ４２２の一部として、サービスデータとして取得した地点数４０１と共に表示する。ここで、プレミアム勧奨データが表す地点数４２１は、ユーザがプレミアム会員である場合に表示される図４ｂの地点数４１１相当のものとなっている。
【００４４】
また、ヒット数提示画面には、一覧表示ボタン４３１と終了ボタン４３２が設けられている。
そして、一覧表示ボタン４３１が操作された場合には、ナビゲーションサーバに検索地点の地点データ要求を送信して地点データを取得する。ナビゲーションサーバのサービスデータ提供部４１は、検索地点の地点データ要求を受信したならば、検索地点の地点データ要求発行元のナビゲーション装置１のユーザがプレミアム会員でなければ、ノーマルサービスデータ生成部４３を介して、ノーマルサービスデータ生成部４３が、当該ナビゲーション装置１からの最近の地点検索要求に応答して地点データベース４６から探索した各地点の地点データを取得し、ナビゲーション装置１に送信する。また、検索地点の地点データ要求発行元のナビゲーション装置１のユーザがプレミアム会員であればプレミアムサービスデータ生成部４４を介して、プレミアムサービスデータ生成部４４が、当該ナビゲーション装置１からの最近の地点検索要求に応答して地点データベース４６から探索した各地点の地点データを取得し、ナビゲーション装置１に送信する。
【００４５】
一方、ナビゲーションクライアント１４は、このようにして、検索地点の地点データ要求の応答として取得した地点データが表す地点の一覧を表示すると共に、一覧中からの目的地としての設定を受け付ける。そして、設定した目的地と現在位置とを指定したルートデータの送付要求をナビゲーションサーバに送信し、ヒット数提示画面の表示を消去し、前述した案内画像の表示に戻る。
【００４６】
一方、終了ボタン４３２が操作された場合、ナビゲーションクライアント１４は、ヒット数提示画面の表示を消去し、前述した案内画像の表示に戻る。
以上、本発明の第１の実施形態について説明した。
以下、本発明の第２の実施形態について説明する。
図５に、本第２実施形態に係るナビゲーションシステムの構成を示す。
図５に示すように、本実施形態に係るナビゲーションシステム５は、各々車両に搭載されるものであり、放送局６から、交通情報を受信する受信機５１、操作部５２、表示部５３、ナビゲーション部５４を備えている。
また、ナビゲーション部５４は、制御部５４１、交通情報メモリ５４２、地図データを記憶した地図データ記憶部５４３、案内画像生成部５４４、現在位置算出部５４５、ルート探索部５４６を備えている。
このような構成において、受信機５１は、ナビゲーション部５４が後述するように算出する現在位置が含まれる地域/国内の放送局から放送される無料チャネルの交通情報と、有料チャネルの交通情報を受信する。なお、各放送局の属する地域/国内、各放送局の放送している各チャネルの有料/無料などのチャネル種別等の情報は、各放送局から放送される。
そして、受信機５１が、受信した交通情報は交通情報メモリ５４２に格納される。ここで、有料チャネルの交通情報は、無料チャネルの交通情報よりも詳細な交通情報となっている。すなわち、たとえば、無料チャネルの交通情報は、国道などの主要道の渋滞区間のみを表すのに対して、有料チャネルの交通情報は、国道などの主要道に加え、県道、私道などの、その他の道路の渋滞区間をも表している。
【００４７】
一方、ナビゲーション部５４において、現在位置算出部５４５は、ＧＰＳ受信機や、角加速度センサや地磁気センサなどである方位センサや、車速パルスセンサなどである車速センサなどの、車両の各種状態を検出するセンサを備えている。そして、現在位置算出部５４５は、センサやＧＰＳ受信機の出力から推定される現在位置に対して、地図データ記憶部５４３から読み出した地図データが示す前回決定した現在位置の周辺の地図とのマップマッチング処理などを施して、現在位置として最も確からしい座標と、現在の進行方向として最も確からしい方向とを、それぞれ現在位置、現在進行方位として決定する処理を繰り返し行う。
【００４８】
また、制御部５４１は、ユーザから操作部５２を介して目的地の設定を受付け、後述するルート探索処理を行って、目的地に到る経路を誘導ルートとして設定する。
そして、案内画像生成部５４４は、現在位置と、その時点で設定されている地図の表示縮尺に従って制御部５４１が算定した現在位置周辺の地理的範囲である地図表示範囲の地図画像を、地図データ記憶部５４３に記憶された地図データに基づいて描画する。また、案内画像生成部５４４は、現在位置や誘導ルートや目的地を表す図形と渋滞区間を表す渋滞図形を、地図画像上に描画して、案内画像を生成し表示部５３に表示する。
【００４９】
ここで、案内画像生成部５４４は、ナビゲーションシステム５のユーザが有料チャネルの加入者である場合には、交通情報メモリ５４２に格納されている有料チャネルで受信した交通情報が表す渋滞区間を地図画像上に描画し、ナビゲーションシステム５が有料チャネルの加入者でない場合には、交通情報メモリ５４２に格納されている無料チャネルで受信した交通情報が表す渋滞区間を地図画像上に描画する。なお、ナビゲーションシステム５が有料チャネルの加入者であるかどうかは、現在、受信機５１が受信している有料チャネルへの加入時に放送事業者より加入者に提供される所定の受信キーが、ユーザによって制御部５４１に登録されているかどうかに応じて判断する。
【００５０】
図６ａ、ｂは、このようにして生成された、誘導ルートが設定されていないときの案内画像を表すものであり、図６ａがナビゲーションシステム５のユーザが有料チャネルの加入者でない場合の案内画像を、図６ｂがナビゲーションシステム５のユーザが有料チャネルの加入者である場合の案内画像を表している。図示するように、図６ａの案内画像６００と、図６ｂの案内画像６１０は、共に、同じ現在位置周辺の地図画像６０１と、現在位置を表す現在位置マーク６０２とを含むものとなるが、有料チャネルの加入者でない場合の案内画像６００では、矢印形状の渋滞図形６０３によって表される渋滞区間が主要道の渋滞区間のみであるのに対して、有料チャネルの加入者である場合の案内画像６１０では、渋滞図形６１３によって渋滞区間が詳細に、主要道のみならず、それ以外の道路についても詳細に表されている。
【００５１】
さて、このような構成において制御部５４１は、以下に示す有料チャネル情報試供処理を行う。
図７に、有料チャネル情報試供処理の手順を示す。
図示するように、この有料チャネル情報試供処理では、まず、ナビゲーションシステム５のユーザが有料チャネルの加入者であるかどうかを調べ（ステップ７０２）、ナビゲーションシステム５のユーザが有料チャネルの加入者であれば処理を終了する。
一方、ナビゲーションシステム５のユーザが有料チャネルの加入者でなければ、現在位置が属する地域/国が変化して、受信機５１が新たな地域/国内の放送局の有料チャネルの交通情報を受信したかどうかを調べ（ステップ７０４）、新たな地域/国内の放送局の有料チャネルの交通情報を受信していればステップ７１０に進む。
【００５２】
一方、新たな地域/国内の放送局の有料チャネルの交通情報を受信していなければ、後述する試供画面を前回表示してから所定期間（たとえば、１週間）経過しているかどうかを調べ（ステップ７０６）、経過していなければステップ７０２に戻る。そして、前回、試供画面を前回表示してから所定期間している場合には、さらに、交通情報メモリ５４２に格納されている無料チャネルで受信した交通情報と有料チャネルで受信した交通情報との差分が所定レベル以上であるかどうかを調べ（ステップ７０８）、所定レベル以上でなければステップ７０２に戻る。ここで、ステップ７０８では、無料チャネルで受信した交通情報が表す渋滞などの交通事象（渋滞区間等）の数と、有料チャネルで受信した交通情報が表す渋滞などの交通事象の数とに、所定値（たとえば、１０）以上の差がある場合に、無料チャネルで受信した交通情報と有料チャネルで受信した交通情報との差分が所定レベル以上であるとする。
【００５３】
一方、無料チャネルで受信した交通情報と有料チャネルで受信した交通情報との差分が所定レベル以上である場合には、ステップ７１０に進む。
そして、このようにして、ステップ７０４またはステップ７０８からステップ７１０に進んだならば、図６ｃに示すような試供画面を所定期間（たとえば、５秒）表示する。ここで、試供画面は、表示装置１２の表示画面を左右に二つの子画面に分割し、案内画像生成部５４４に、左の子画面に無料チャネルで受信した交通情報が表す渋滞区間を、現在位置や誘導ルートや目的地を表す図形と共に地図画像上に描画した案内画像６００を表示させ、右の子画面に、有料チャネルで受信した交通情報が表す渋滞区間を、現在位置や誘導ルートや目的地を表す図形と共に地図画像上に描画した試供画像６２０を表示させたものである。また、この比較画面の右の子画面には、たとえば、「XXチャネル（有料チャネル名）に加入すると、こちらの地図がご利用頂けます。」といった有料チャネル加入を勧奨するメッセージ６２１も表示する。
【００５４】
ここで、試供画面の左の小画面に表示される案内画像６００は、ナビゲーションシステム５のユーザが有料チャネルの加入者でない場合に表示される図６ａに示す案内画像６００と同じものであり、試供画面の右の小画面に表示される試供画像６２０は、ナビゲーションシステム５のユーザが有料チャネルの加入者である場合に表示される図６ｂに示す案内画像６１０と同じものである。
【００５５】
以上、有料チャネル情報試供処理について説明した。
次に、制御部５４１が行う前述したルート探索処理について説明する。
図８に、このルート探索処理の手順を示す。
図示するように、この処理では、まず、ナビゲーションシステム５のユーザが有料チャネルの加入者であるかどうかを調べ（ステップ８０２）、ナビゲーションシステム５のユーザが有料チャネルの加入者であれば、ルート探索部５４６にメモリに格納されている有料チャネルで受信した交通情報を考慮した、現在位置から目的地までのルート探索を指示する（ステップ８０４）、
有料チャネルで受信した交通情報を考慮した、現在位置から目的地までのルート探索を指示されたルート探索部５４６は、必要地理的範囲の地図データを地図データ記憶部５４３から読み出し、現在位置から目的地までの走行時間が最小コストの経路を、有料チャネルで受信した交通情報を考慮したルートとして探索する。ここで、有料チャネルで受信した交通情報を考慮したルートの探索において、走行時間の算出にあたっては、有料チャネルで受信した交通情報が表す渋滞の走行時間への影響を考慮する。
【００５６】
そして、探索されたルートを、図９ｂに示すように探索されたルート周辺の地図を表す地図画像９０１上に、現在位置を表す現在位置マーク９０２と探索された有料チャネルで受信した交通情報を考慮したルートを表すルート図形９１３と目的地を表す目的地マーク９０４と有料チャネルで受信した交通情報が表す渋滞区間９１５とを表したルート提示画像９１０を案内画像部に生成させ表示部５３に表示する（ステップ８０６）。また、ルート提示画像９１０上には、設定ボタン９２１とキャンセルボタン９２２を表示する
そして、キャンセルボタン９２２が表示されたならば（ステップ８０８）、ルート提示画像９１０の表示を消去しルート探索処理を終了する。また、設定ボタン９２１が操作されたならば（ステップ８１０）、有料チャネルで受信した交通情報を考慮したルートを誘導ルートに設定し（ステップ８１２）、ルート提示画像９１０の表示を消去してルート探索処理を終了する。
【００５７】
一方、ステップ８０２において、ナビゲーションシステム５のユーザが有料チャネルの加入者でないと判定された場合には、ルート探索部５４６に、メモリに格納されている有料チャネルで受信した交通情報を考慮した、現在位置から目的地までのルート探索と、メモリに格納されている無料チャネルで受信した交通情報を考慮した、現在位置から目的地までのルート探索とを指示する（ステップ８１４）、
有料チャネルで受信した交通情報を考慮した、現在位置から目的地までのルート探索と、無料チャネルで受信した交通情報を考慮した、現在位置から目的地までのルート探索とを指示されたルート探索部５４６は、必要地理的範囲の地図データを地図データ記憶部５４３から読み出し、有料チャネルで受信した交通情報が表す渋滞の走行時間への影響を考慮しつつ、現在位置から目的地までの走行時間が最小コストの経路を、有料チャネルで受信した交通情報を考慮したルートとして探索する。また、ルート探索部５４６は、必要地理的範囲の地図データを地図データ記憶部５４３から読み出し、無料チャネルで受信した交通情報が表す渋滞の走行時間への影響を考慮しつつ、現在位置から目的地までの走行時間が最小コストの経路を、無料チャネルで受信した交通情報を考慮したルートとして探索する。
【００５８】
そして、制御部５４１は、このようにして二つのルートを探索したならば、探索した二つのルートに差があるかどうかを調べ（ステップ８１６）、差がなければ、図９ａに示すように、探索された二つのルートのうちの、無料チャネルで受信した交通情報を考慮したルートの周辺の地図を表す地図画像９０１上に現在位置を表す現在位置マーク９０２と無料チャネルで受信した交通情報を考慮したルートを表すルート図形９０３と目的地を表す目的地マーク９０４と無料チャネルで受信した交通情報が表す渋滞区間９０５とを表したルート提示画像９００を案内画像部に生成させ表示部５３に表示する（ステップ８１８）。また、ルート提示画像９００上には、設定ボタン９２１とキャンセルボタン９２２を表示する。
【００５９】
そして、キャンセルボタン９２２が表示されたならば（ステップ８２０）、ルート提示画像９００の表示を消去し、ルート探索処理を終了する。また、設定ボタン９２１が操作されたならば（ステップ８２２）、無料チャネルで受信した交通情報を考慮したルートを誘導ルートに設定し（ステップ８２４）、ルート提示画像９００の表示を消去してルート探索処理を終了する。
【００６０】
一方、ステップ８１６において探索した二つのルートに差があると判定された場合には、図９ｃに示すようにルート比較画面を表示部５３に表示する（ステップ８２６）。
ここで、ルート比較画面は、表示装置１２の表示画面を左右に二つの子画面に分割し、案内画像生成部５４４に、左の子画面に無料チャネルで受信した交通情報を考慮したルートを表したルート提示画像９００を表示させ、右の子画面に無料チャネルで受信した交通情報を考慮したルートを表したルート提示画像９３０を表示させる。また、このルート比較画面の左の子画面には、設定ボタン９２１とキャンセルボタン９２２を表示し、このルート比較画面の右の子画面には、たとえば、「XXチャネル（有料チャネル名）に加入すると、このようにルートが設定できます」といった有料チャネル加入を勧奨するメッセージ９３１も表示する。
【００６１】
ここで、ルート比較画面の左の小画面に表示されるルート提示画像９００は、ナビゲーションシステム５のユーザが有料チャネルの加入者でない場合に表示される図９ａに示すルート提示画像９００と同じものであり、ルート比較画面の右の小画面に表示されるルート提示画像９３０は、ナビゲーションシステム５のユーザが有料チャネルの加入者である場合に表示される図９ｂに示すルート提示画像９１０と同じものである。なお、このようなルート比較画面においては、ルート比較画面の右の小画面のルート提示画像９３０において、有料チャネルで受信した交通情報を考慮したルート上の、無料チャネルで受信した交通情報を考慮したルートと異なる区間に対応するルート図形９１３の部分を強調表示するようにしてもよい。
【００６２】
そして、キャンセルボタン９２２が表示されたならば（ステップ８２０）、ルート比較画面の表示を消去しルート探索処理を終了する。また、設定ボタン９２１が操作されたならば（ステップ８２２）、無料チャネルで受信した交通情報を考慮したルートを誘導ルートに設定し（ステップ８２４）、ルート比較画面の表示を消去してルート探索処理を終了する。
【００６３】
以上、ルート探索処理について説明した。
以上、本発明の第２実施形態について説明した。
以上のように、本発明の各実施形態によれば、高グレードの有料サービスに加入していないナビゲーション装置のユーザに、低グレードの無料サービスを利用して得られる情報と高グレードのサービスを利用して得られる情報との差が所定レベル以上である場合に、低グレードのサービスを利用した場合と、高グレードのサービスを利用した場合の比較を提示することができるので、よりグレードの高い外部サービスを利用するメリットを、効果的に伝えることができる。
【符号の説明】
【００６４】
１…ナビゲーション装置、２…移動体通信網、３…ＷＡＮ、４…ナビゲーションサービスサーバ、５…ナビゲーションシステム、１１…入力装置、１２…表示装置、１３…ＧＰＳ受信機、１４…ナビゲーションクライアント、１５…移動体通信網インタフェース、４１…サービスデータ提供部、４２…ユーザ管理テーブル、４３…ノーマルサービスデータ生成部、４４…プレミアムサービスデータ生成部、４５…地図データベース、４６…地点データベース、５１…受信機、５２…操作部、５３…表示部、５４…ナビゲーション部、５４１…制御部、５４２…交通情報メモリ、５４３…地図データ記憶部、５４４…案内画像生成部、５４５…現在位置算出部。
【図１】
2010261802.tif 000003
【図２】
2010261802.tif 000004
【図３】
2010261802.tif 000005
【図４】
2010261802.tif 000006
【図５】
2010261802.tif 000007
【図６】
2010261802.tif 000008
【図７】
2010261802.tif 000009
【図８】
2010261802.tif 000010
【図９】
2010261802.tif 000011
【手続補正書】
【提出日】平成21年5月19日(2009.5.19)
【手続補正１】
【補正対象書類名】明細書
【補正対象項目名】０００３
【補正方法】変更
【補正の内容】
【０００３】
【特許文献１】特開2005-345409号公報
【特許文献２】国際公開第2006/016497号